(57)【要約】【課題】ぜんまい巻き不足または過度の問題が避けられる腕時計のぜんまい巻き装置の提供。【解決手段】腕時計の自動ぜんまい巻き装置の一種で、それは使用者に機械式腕時計が必要とするぜんまい巻き回転回数及び回転方向を入力するためのインターフェイスと、使用者が入力した指令によってぜんまい巻き装置の伝動装置を制御し、機械式腕時計が取り付けられた回転座を予定回数駆動するコントロールユニットが含まれる。【選択図】図１
0003154770.tif 000002
【実用新案登録請求の範囲】
【請求項１】
腕時計のぜんまい巻き装置の一種であって、箱50と、電動装置10と、回転座11と、感知器12と、使用者インターフェイス20と、コントロールユニット30と、を含み、
箱50は分隔板51を備え、分隔板51は箱50を内部空間52と外部空間53に区分し、
伝動装置10は分隔板51に固定されて内部空間52に位置し、伝動装置10の動力軸101は分隔板51から貫き出しており、
回転座11は伝動装置10の動力軸101に連接され、箱50の外部空間53に位置し、
感知器12は箱50内に設置され、回転座11の回転回数の感知に用いられ、
使用者インターフェイス20はディスプレーユニット21及び指令入力ユニット25を含み、箱50の表面の使用者が見る及び操作に便利な個所に設けられ、ディスプレーユニット21は液晶ディスプレーであり、ディスプレーユニット21は時間または回転座11の回転回数を表示する主要ディスプレーエリア211と、回転座11の回転方向を表示する方向ディスプレーエリア212を備え、指令入力ユニット25は箱の表面に設けられる押しボタンを含み、
コントロールユニット30は使用者インターフェイス20、ディスプレーユニット21、感知器12及び伝動装置10に結合され、伝動装置10の始動、停止、回転方向、回転回数を制御することを特徴とする、
腕時計のぜんまい巻き装置。
【請求項２】
前記伝動装置10は基座13によって分隔板51に固定され、基座13と分隔板51の相対接触個所の間には弾性シート14が設けられていることを特徴とする、請求項１記載の腕時計のぜんまい巻き装置。
【請求項３】
前記伝動装置10はモータ102によって減速歯車箱103を駆動して構成し、減速歯車箱103の出力軸105の外部には弾性のある軸覆い106が取り付けられ、軸覆い106は多角形の外壁を備え、軸覆い106は動力軸101の多角形孔107との結合に用いられ、かつ連軸部108の内壁に緊密に貼り付けてあり、減速歯車箱103の外部には防振覆い104が取り付けられ、防振覆い104は基座13の内部に定位され、かつ基座13の内壁に緊密に貼り付けてあることを特徴とする、請求項２記載の腕時計のぜんまい巻き装置。
【考案の詳細な説明】
【技術分野】
【０００１】
本考案は機械式腕時計の自動ぜんまい巻き装置に関するものである。
【背景技術】
【０００２】
いわゆる自動ぜんまい巻き装置は機械式腕時計に対して自動的にぜんまい巻きを行う装置である。
機械式腕時計は使用者の手の動作によって自動的にぜんまい巻きと動力の発生が達成されるので、自動ぜんまい巻き装置は特定の作動方式をもって使用者の手の動作と入れ替わり、機械式腕時計のぜんまいを巻くものである。
【０００３】
自動ぜんまい巻き装置の従来技術は、アメリカ合衆国特許US6254270案のように、それの主要は収納箱を含み、収納箱の内部には中隔板を備え、中隔板にはモータ(motor)が固定され、モータの出力軸は中隔板を貫き通って回転座と結合し、回転座は機械式腕時計に定位収納の空間を提供する。機械式腕時計を回転座に定位し、モータを始動して回転座を回転させると、機械式腕時計に対して自動的ぜんまい巻きの目的が達成される。
【０００４】
上記従来技術に類似するぜんまい巻き装置は、使用者の機械式腕時計のぜんまい巻きの必要により、ぜんまい巻きの作動時間を自分で設定することができ、例えば20分または30分、ぜんまい巻き装置はこの時間内に於いて連続的に機械式腕時計のぜんまいを巻き、ぜんまい巻きの目的が達成される。
ところが、ぜんまい巻き装置のモータの回転速度は電圧の不安定によって影響される可能があり、回転速度は常に定速に保持することができないので、設定時間内での回転座の回転数を正確に制御することができず、機械式腕時計のぜんまい巻き不足またはぜんまい巻き過度の問題が発生しやすくなる。
【０００５】
このほか、ぜんまい巻き装置作動時の震動問題も腕時計またはぜんまい巻き装置自身の損害に導く可能があり、或いはぜんまい巻き装置の回転座が運転方向に反する外力に遭遇した場合、モータ及びそれの減速機構は損害を受けるので、如何にしてこのような問題を防止するかは、従来技術の中に説明されていない。
【考案の概要】
【考案が解決しようとする課題】
【０００６】
本案は機械式腕時計に対して自動ぜんまい巻きを行う装置を提出する。
【課題を解決するための手段】
【０００７】
自動ぜんまい巻き装置の一種で、それは使用者に機械式腕時計が必要とするぜんまい巻き回転回数及び回転方向を入力するためのインターフェイス(interface)と、使用者が入力した指令によってぜんまい巻き装置の伝動装置を制御し、機械式腕時計が取り付けられた回転座を予定回数駆動するコントロールユニット(control unit)が含まれる。
【０００８】
本案の目的は使用者の設定により、予定された方向及び予定された回転回数をもって機械式腕時計のぜんまいを回し、機械式腕時計のぜんまい巻きの目的を達成し、ぜんまい巻き不足またはぜんまい巻き過度の問題を防ぐ腕時計のぜんまい巻き装置の提供である。
【０００９】
本案の次の目的はぜんまい巻き装置に共振を緩める機能を備え、ぜんまい巻き装置の作動騒音を減らし、かつ装置が共振してぜんまい巻き中の機械式腕時計に震動力が伝達されることを減少し、機械式腕時計が震動によって損害する確率を減らす腕時計のぜんまい巻き装置の提供である。
【００１０】
本案のもう一つの目的はそれに動力装置を保護するための防振クッション構造が備えられ、防振クッション構造は更にその動力装置の減速歯車を保護し、それが不当な外力によって逆回転、または不当な外力によって回転が加速される問題を避ける腕時計のぜんまい巻き装置の提供である。
【００１１】
本案の更に一つの目的はコントロールユニットをもって腕時計のぜんまい巻きの回転回数を制御し、それが充分な回転回数に達したら運転を止め、機械式腕時計が有効にぜんまい巻きされ、ぜんまい巻き不足またはぜんまい巻き過度の問題を避ける腕時計のぜんまい巻き装置の提供である。
【考案の効果】
【００１２】
従来技術に述べたぜんまい巻き装置はぜんまい巻きの時間を計算し、例えばモータが連続に20分間または30分間運転したら、ぜんまい巻き装置はこの時間内に於いて機械式腕時計を持続的に動かすが、モータがこの時間内に於いて連続運転した場合、電圧の差異によって回転速度が変わり、そのために設定時間内にぜんまい巻き回数過多または不足の問題が発生する可能性がある。しかし、本案のぜんまい巻き装置はぜんまい巻きの運転回数を計算しているので、充分な運転回数に達しないと止まらず、ぜんまい巻き不足またはぜんまい巻き過多の問題を避けることができる。
【図面の簡単な説明】
【００１３】
【図１】本案のぜんまい巻き装置の外観図である。
【図２】本案のぜんまい巻き装置の縦断面図である。
【図３】本案のぜんまい巻き装置の伝動装置の立体分解図である。
【図４】本案のぜんまい巻き装置の伝動装置の組み合わせ外観図である。
【図５】本案のぜんまい巻き装置のコントロールモジュールのブロックダイアグラムである。
【図６】本案の使用者インターフェイスの平面図である。
【図７】本案の使用者インターフェイスの使用状態の意表図一である。
【図８】本案の使用者インターフェイスの使用状態の意表図二である。
【考案を実施するための形態】
【００１４】
図１と図２に示すように、本案の腕時計のぜんまい巻き装置は次のものを含む。
箱50、それには傾斜した分隔板51を備え、分隔板51は箱50を内部空間52と外部空間53に区分ける。箱50は更に開けられる蓋55を備え、蓋55が箱50を閉めると、外部空間53を遮蔽することができる。
【００１５】
伝動装置10、それは分隔板51の内側511に固定されて内部空間52に位置する。伝動装置10の動力軸101は分隔板51から貫き出して外部空間53に露出する。
【００１６】
回転座11、それは伝動装置10の動力軸101に連接して外部空間53に位置し、機械式腕時計（図面には示されていない）は回転座11に取り付けられる。
【００１７】
感知器12、それは伝動装置10に相対した固定位置に設置され、それは伝動装置10の動力軸101の回転回数、または伝動装置10の減速歯車箱103の出力軸105の回転回数の感知に用いられる。感知器12は周知の光学エンコーダー(encoder)によって実現される。
【００１８】
使用者インターフェイス20、それはディスプレーユニット(display unit)21及び指令入力ユニット25を含み、箱50の表面の使用者が見る及び操作に便利な個所に設けられる。
【００１９】
図３と図４に示すように、前記伝動装置10は基座13によって分隔板51に固定される。基座13と分隔板51との相対接触個所の間に弾性シート(sheet)14が設けられる。伝動装置10の回転が始まると、弾性シート14は防振の機能を発揮し、伝動装置10が分隔板51に伝送する振動力を減少し、更に進んで箱50全体の共振周波数を減らし、ぜんまい巻き装置の操作騒音を減らすことができ、かつ箱50の共振が腕時計に伝達した振動力を減らし、腕時計が振動によって損害する確率を減らす。
【００２０】
前記伝動装置10はモータ102により、減速歯車箱103を通じて動力軸101に予定の回転速度を発生させ、それに連接する回転座11を駆動して回転させる。減速歯車箱103の外部には柔らかい弾性のある防振覆い104が取り付けられ、防振覆い104は基座13の内部に定位され、かつ基座13の内壁に緊密に貼り付けている。減速歯車箱103の出力軸105の外部には柔らかい弾性のある軸覆い106が取り付けられ、軸覆い106には多角形の外壁を備え、それは動力軸101の連軸部108の多角形孔107との結合に用いられ、かつ連軸部108の内壁に緊密に貼り付けてある。前記防振覆い104は防振とクッションの効果を備えるので、モータ102の運転振動、または回転座11の運転振動が減速歯車箱103内部の精密歯車に影響することが避けられる。軸覆い106は出力軸105と動力軸101を緊密の結合させ、したがって出力軸105は動力軸101を確実に動かし回転させ、出力軸105に空転が発生して動力軸101の回転不確実の問題が避けられるので、これによって動力軸101と連接する回転座の予期する回転回数に到達することが確保される。ところが、使用者が回転座11に対して不当のねじれ外力を施し、出力軸105の回転方向と逆方向に回転させ、または出力軸105の回転方向と同じであるがねじれ外力を施してそれを加速に回転させると、動力軸101は連動軸108をもって軸覆い106に取り巻くり回転し、かつ回転には阻止力がある。これに基づき、その不当のねじれ外力は出力軸105に伝達されなく、したがって減速歯車箱103内部の精密歯車を保護することができる。
【００２１】
ここで再び図５と図６をもって前記使用者インタフェイス20を説明する。使用者インタフェイス20のディスプレーユニット21は主として回転座11の回転した回数（または残った未執行の回転回数）及び回転方向等情報を表す。回転回数は数字で表示され、回転方向は図形で表示される。指令入力ユニット25は若干の押しボタン(button)から構成され、それは主として使用者が回転回数、回転方向等指令の入力に用いられる。
【００２２】
コントロールユニット30、それは使用者インタフェイス20と伝動装置10に結合され、指令入力ユニット25から入力した指令を受け取り及び処理し、並びにその指令によって伝動装置10の動力軸101を予定された方向で回転させ、感知器12が感知した回数信号を受け取り及び処理することを制御し、回転座11の回転回数が一定値に到達したら伝動装置10を停止することを判断する。コントロールユニット30は更に使用者が入力した回転回数と、すでに執行されたまたは残り未執行の回転回数をディスプレーユニット21に表す。
【００２３】
前記ディスプレーユニット21は液晶ディスプレーで、それには主要ディスプレーエリア(area)211、方向ディスプレーエリア212、指令提示エリア213及び時制提示エリア214を備える。
【００２４】
主要ディスプレーエリア211は電子時計の「時：分」数字方式をもって現在の時間または回転座11のすでに回転された回数（または残り未執行の回転回数）を表す。例えば：23：10は現在時間が23時10分であることを表す。例えば：25：00は回転座の残された回転回数は25回転であることを表す。
【００２５】
方向ディスプレーエリア212は正回転符号、逆回転符号、正逆回転符号等図形をもって回転方向を現す。
【００２６】
指令提示エリア213は関連の指令文字、例えば：REMAIN(残り回数)、CLOCK(時計)、SETUP(設定)を表す。例えば：主要ディスプレーエリア211が現在時間を表した場合、指令提示エリア213は「CLOCK」を表す。主要ディスプレーエリア211が残り回転回数を表した場合、指令提示エリア213は「REMAIN」を表す。次に述べる設定ボタン254を押すと、指令提示エリア213は「SETUP」を表す。
【００２７】
時制提示エリア214はAM、PM、24Hを表す。
【００２８】
指令入力ユニット25は始動ボタン(turn)251、切り替えボタン(switch)252、照明ボタン(light)253、設定ボタン(setup)254を含む。
【００２９】
始動ボタン251は伝動装置10の始動に用いられる。
【００３０】
切り替えボタン252は主要ディスプレーエリア211の残り回転回数または現在時間を制御する。
【００３１】
照明ボタン253は箱50に設けられる照明燈15の点滅を制御し、その照明燈15は前述外部空間53の照明に用いられる。
【００３２】
設定ボタン254が押されると、始動ボタン251は機能選択(mode)ボタンになり、切り替えボタン252は数値を増やす「増やしボタン(UP)」になり、照明ボタン253は数値を減らす「減らしボタン(DOWN)」になる。始動ボタン251を押すと順番に時、分、時制(AM/PM/24時)、正回転回数、逆回転回数が設定される。「増やしボタン(UP)」252または「減らしボタン(DOWN)」253を押すと、それのある選択項目に於いて数値を増やしまたは数値を減らす。
【００３３】
更に進んで始動ボタン251及び本案のぜんまい巻き装置の操作状況を説明する。
図７に示すように、始動ボタン251を一回押すと、方向ディスプレーエリア212の正回転符号が点灯し、主要ディスプレーエリア211は「残り回転回数」を表し、伝動装置10は正回転を始め、感知器12は回転座11の回転回数を感知し、一回回転すると残り回転回数は自動的に1が減らされ、数値が0になったら運転が停止する。その後は毎時及び30分ごとに一回運転し、一日48回運転する。
【００３４】
図８に示すように、始動ボタン251を二回目押すと、方向ディスプレーエリア212の逆回転符号が点灯し、伝動装置10は逆回転を始め、運転の操作、感知器12、及びディスプレー方式は上段の説明と同じである。
【００３５】
始動ボタン251を三回目押すと、方向ディスプレーエリア212の正逆回転符号が点灯し、伝動装置10は正回転を始め、残り回転回数が0になったら運転は停止し、次の時または30分になったら逆回転が執行される。
【符号の説明】
【００３６】
10       伝動装置
101      動力軸
102      モータ
103      減速歯車箱
104      防振覆い
105      出力軸
106      軸覆い
107      多角形孔
108      連軸部
11       回転座
12       感知器
13       基座
14       弾性シート
15       照明燈
20       使用者インターフェイス
21       ディスプレーユニット
211      回転回数及び時間ディスプレーエリア
212      回転方向ディスプレーエリア
213      指令提示エリア
214      時制提示エリア
25       指令入力ユニット
251      始動ボタン
252      切り替えボタン
253      照明燈ボタン
254      設定ボタン
50       箱
51       分隔板
511      内側
52       内部空間
53       外部空間
55       蓋
【図１】
0003154770.tif 000003
【図２】
0003154770.tif 000004
【図３】
0003154770.tif 000005
【図４】
0003154770.tif 000006
【図５】
0003154770.tif 000007
【図６】
0003154770.tif 000008
【図７】
0003154770.tif 000009
【図８】
0003154770.tif 000010